(57)【要約】【課題】撮像装置について、被写体からの光を反射する部材の調整時における作業を簡略化させる。【解決手段】サブミラーの角度を調整する治具（調整用治具）を挿入する治具挿入孔ＪＨと、外部のパソコンとの間で各種情報の伝達を行うケーブル（情報交信用ケーブル）を接続する情報用接続端子ＪＴと、外部から電力を供給するケーブル（電力ケーブル）を接続する電力用接続端子ＤＴとがカメラ本体１の一側面（すなわち略同一面）に設けられている。そのため、調整用治具、情報交信用ケーブル、および電源ケーブルを略同一方向から挿入若しくは接続することが可能となり、作業効率が向上する。【選択図】図３
2006086601.tif 000002
【特許請求の範囲】
【請求項１】
撮像装置であって、
被写体からの光を反射する反射部と、
前記反射部で反射された被写体からの光に基づいて画像を取得する撮像部と、
前記撮像装置の動作を制御する制御部と、
前記反射部における光の反射状態を調整する調整治具を受け付ける治具受付部と、
前記制御部と外部装置との間で情報を伝達する回線が接続される情報用接続部と、
を備え、
前記治具受付部と、前記情報用接続部とが、前記撮像装置の略同一面に設けられていることを特徴とする撮像装置。
【請求項２】
請求項１に記載の撮像装置であって、
前記撮像装置に対して電力を供給する部材が当該撮像装置の外部から接続される電力用接続部、
を備え、
前記治具受付部と、前記情報用接続部と、前記電力用接続部とが、前記撮像装置の略同一面に設けられていることを特徴とする撮像装置。
【請求項３】
撮像装置であって、
被写体からの光を反射する反射部と、
前記反射部で反射された被写体からの光に基づいて画像を取得する撮像部と、
前記撮像装置の動作を制御する制御部と、
前記反射部における光の反射状態を調整する調整治具を受け付ける治具受付部と、
前記撮像装置に対して電力を供給する部材が当該撮像装置の外部から接続される電力用接続部と、
を備え、
前記治具受付部と、前記電力用接続部とが、前記撮像装置の略同一面に設けられていることを特徴とする撮像装置。
【請求項４】
請求項３に記載の撮像装置であって、
前記制御部と外部装置との間で情報を伝達する回線が接続される情報用接続部と、
前記治具受付部と、前記電力用接続部と、前記情報用接続部とが、前記撮像装置の略同一面に設けられていることを特徴とする撮像装置。
【請求項５】
請求項１から請求項４のいずれかに記載された撮像装置であって、
前記治具受付部を覆う蓋部、
を備えることを特徴とする撮像装置。
【請求項６】
請求項１から請求項５のいずれかに記載された撮像装置であって、
前記撮像部が、
合焦制御用の画像を取得することを特徴とする撮像装置。
【請求項７】
請求項１から請求項６のいずれかに記載された撮像装置であって、
前記情報用接続部が、
前記外部装置から前記制御部に対して、前記撮像装置の制御に係る情報を入力することを特徴とする撮像装置。
【請求項８】
請求項６に記載の撮像装置に備えられた反射部における光の反射状態を調整する調整装置であって、
前記治具受付部に受け付けられる前記調整治具を回動させる回動手段と、
前記撮像部で取得された画像を前記情報用接続部を介して取得し、当該画像と基準画像とのずれに応じて前記回動手段を回動させるように制御する制御装置と、
を備えることを特徴とする調整装置。
【発明の詳細な説明】
【技術分野】
【０００１】
本発明は、撮像装置に関する。
【背景技術】
【０００２】
従来の一眼レフレックス型光学ファインダを有する撮像装置では、被写体像を撮像素子に結像させる撮影光学系の途中に光路切り替えのための可動式の反射ミラーを備え、反射ミラーの反射光がファインダ光学系を通してファインダ窓に導かれる構成となっている。この反射ミラーは、被写体光をファインダ光学系に向けて反射するハーフミラーと、ハーフミラーの後方に設けられたサブミラーとを備えて構成される。
【０００３】
そして、ハーフミラーを透過した被写体光がサブミラーによって反射され、反射された被写体光が焦点検出部（ＡＦセンサ）に入射することで、被写体のピント情報を検出することができるようになっている。
【０００４】
ところで、サブミラーとＡＦセンサとの相対的な角度関係等は、撮像装置の個体ごとに差があるため、製造段階で、ＡＦセンサで取得される画像をモニタしつつ、サブミラーの角度を調整することで、焦点検出の精度を高める必要性がある。
【発明の開示】
【発明が解決しようとする課題】
【０００５】
しかしながら、従来の撮像装置では、サブミラーの角度を調整する治具（調整治具）を挿入する挿入孔が当該撮像装置の側面に設けられる一方で、撮像装置に対して外部から電力を供給するケーブル（電力供給ケーブル）を接続する端子、及び外部装置と当該撮像装置との間で情報の伝達を行うケーブル（情報伝達ケーブル）を接続する端子が、当該撮像装置の下面側に設けられていた。そのため、サブミラーの角度を調整する作業者は、撮像装置の下面を見ながら電力供給ケーブル及び情報伝達ケーブルを撮像装置に対して接続した後に、撮像装置の方向を変更して、撮像装置の側面を見ながら調整治具を挿入して、サブミラーの角度を調整する必要性があり、作業が繁雑であった。
【０００６】
このような問題は、サブミラーの角度調整に限られるものではなく、例えば、ハーフミラー等、その他、被写体からの光を反射する部材の調整一般に共通する。
【０００７】
本発明は、上記課題に鑑みてなされたものであり、撮像装置について、被写体からの光を反射する部材の調整時における作業を簡略化させることを目的とする。
【課題を解決するための手段】
【０００８】
上記の課題を解決するために、請求項１の発明は、撮像装置であって、被写体からの光を反射する反射部と、前記反射部で反射された被写体からの光に基づいて画像を取得する撮像部と、前記撮像装置の動作を制御する制御部と、前記反射部における光の反射状態を調整する調整治具を受け付ける治具受付部と、前記制御部と外部装置との間で情報を伝達する回線が接続される情報用接続部とを備え、前記治具受付部と、前記情報用接続部とが、前記撮像装置の略同一面に設けられていることを特徴とする。
【０００９】
また、請求項２の発明は、請求項１に記載の撮像装置であって、前記撮像装置に対して電力を供給する部材が当該撮像装置の外部から接続される電力用接続部を備え、前記治具受付部と、前記情報用接続部と、前記電力用接続部とが、前記撮像装置の略同一面に設けられていることを特徴とする。
【００１０】
また、請求項３の発明は、撮像装置であって、被写体からの光を反射する反射部と、前記反射部で反射された被写体からの光に基づいて画像を取得する撮像部と、前記撮像装置の動作を制御する制御部と、前記反射部における光の反射状態を調整する調整治具を受け付ける治具受付部と、前記撮像装置に対して電力を供給する部材が当該撮像装置の外部から接続される電力用接続部とを備え、前記治具受付部と、前記電力用接続部とが、前記撮像装置の略同一面に設けられていることを特徴とする。
【００１１】
また、請求項４の発明は、請求項３に記載の撮像装置であって、前記制御部と外部装置との間で情報を伝達する回線が接続される情報用接続部と、前記治具受付部と、前記電力用接続部と、前記情報用接続部とが、前記撮像装置の略同一面に設けられていることを特徴とする。
【００１２】
また、請求項５の発明は、請求項１から請求項４のいずれかに記載された撮像装置であって、前記治具受付部を覆う蓋部を備えることを特徴とする。
【００１３】
また、請求項６の発明は、請求項１から請求項５のいずれかに記載された撮像装置であって、前記撮像部が、合焦制御用の画像を取得することを特徴とする。
【００１４】
また、請求項７の発明は、請求項１から請求項６のいずれかに記載された撮像装置であって、前記情報用接続部が、前記外部装置から前記制御部に対して、前記撮像装置の制御に係る情報を入力することを特徴とする。
【００１５】
また、請求項８の発明は、請求項６に記載の撮像装置に備えられた反射部における光の反射状態を調整する調整装置であって、前記治具受付部に受け付けられる前記調整治具を回動させる回動手段と、前記撮像部で取得された画像を前記情報用接続部を介して取得し、当該画像と基準画像とのずれに応じて前記回動手段を回動させるように制御する制御装置とを備えることを特徴とする。
【発明の効果】
【００１６】
請求項１に記載の発明によれば、被写体からの光を反射して撮像部へと導く反射部における光の反射状態を調整する調整治具を受け付ける治具受付部と、撮像装置の動作を制御する制御部と外部装置との間で情報を伝達する回線が接続される情報用接続部とが、撮像装置の略同一面に設けられている構成とすることで、略同一方向から、治具の挿入作業や、情報を伝達する回線の接続作業が可能となるため、被写体からの光を反射する部材の調整時における作業が簡略化される。
【００１７】
また、請求項２に記載の発明によれば、治具受付部と、情報用接続部と、撮像装置に対して電力を供給する部材が当該撮像装置の外部から接続される電力用接続部とが、撮像装置の略同一面に設けられている構成とすることで、略同一方向から、治具の挿入作業や、情報を伝達する回線および電力を供給する部材を接続する作業等が可能となるため、被写体からの光を反射する部材の調整時における作業がより簡略化される。
【００１８】
また、請求項３に記載の発明によれば、被写体からの光を反射して撮像部へと導く反射部における光の反射状態を調整する調整治具を受け付ける治具受付部と、撮像装置に対して電力を供給する部材が当該撮像装置の外部から接続される電力用接続部とが、撮像装置の略同一面に設けられている構成とすることで、略同一方向から、治具の挿入作業や、電力を供給する部材の接続作業等が可能となるため、被写体からの光を反射する部材の調整時における作業が簡略化される。
【００１９】
また、請求項４に記載の発明によれば、治具受付部と、電力用接続部と、撮像装置の動作を制御する制御部と外部装置との間で情報を伝達する回線が接続される情報用接続部とが、撮像装置の略同一面に設けられている構成とすることで、略同一方向から、治具の挿入作業や、情報を伝達する回線および電力を供給する部材の接続作業等が可能となるため、被写体からの光を反射する部材の調整時における作業がより簡略化される。
【００２０】
また、請求項５に記載の発明によれば、治具受付部を覆う蓋部が設けられていることで、治具受付部に対して機械的な作業を加えさせないようにすることができる。したがって、調整済みとなっている反射部による光の反射状態をユーザーが勝手に動かすことで、反射部が調整された状態が狂うといった不具合を防止することができる。
【００２１】
また、請求項６に記載の発明によれば、反射部で反射される光が合焦制御用の画像を取得する撮像部に導かれるような構成とすることで、反射部による光の反射状態を調整することにより合焦制御の調整を行うことができるため、合焦制御の調整作業が簡略化される。
【００２２】
また、請求項７に記載の発明によれば、情報用接続部が、外部装置から制御部に対して、撮像装置の制御に係る情報を入力するような構成とすることで、撮像装置の制御の補正等を含めた作業を簡略化することができる。
【００２３】
また、請求項８に記載の発明によれば、合焦制御用の撮像部で取得された画像を情報用接続部を介して取得し、当該画像と基準画像とのずれに応じて、調整治具を回動させるような構成とすることで、合焦制御用の撮像部に光を導く反射部を容易に調整することができる。
【発明を実施するための最良の形態】
【００２４】
以下、本発明の実施形態を図面に基づいて説明する。
【００２５】
＜撮像装置の概要＞
図１は、本発明の実施形態に係るデジタルカメラについて説明するための図であり、図１（ａ）は、本発明の実施形態に係るデジタルカメラの正面外観図であり、図１（ｂ）は、本発明の実施形態に係るデジタルカメラの背面外観図である。図１および図１以降の図では、方位関係を明確化するために、ＸＹＺ３次元直交座標系を必要に応じて適宜示している。
【００２６】
図１（ａ）に示すように、本実施形態に係るデジタルカメラ１０ａは、カメラ本体１と、このカメラ本体１の正面略中央に着脱可能に装着される交換レンズ（撮像レンズに相当する）２とを備えた一眼レフレックス型デジタルスチールカメラで構成されている。
【００２７】
図１（ａ）において、カメラ本体１は、正面略中央に交換レンズ２が装着されるマウント部（図示省略）と、マウント部付近に交換レンズを着脱するための着脱ボタン３と、正面左端部に使用者が把持するためのグリップ部４と、正面右上部に制御値を設定するための制御値設定ダイアル５と、正面左上部に撮影モードを切り換えるためのモード設定ダイアル（撮影モード切換部に相当する）６と、グリップ部４の上面に露光の開始及び／又は終了を指示するためのレリーズボタン７とを備えている。マウント部の近傍には、装着された交換レンズ２との電気的接続を行うための複数個の電気的接点（図示省略）と機械的接続を行うための複数個のカプラ（図示省略）とが設けられている。
【００２８】
電気的接点は、交換レンズ２に内蔵されたレンズＲＯＭ（リードオンリメモリ）から当該レンズに関する固有の情報（開放Ｆ値や焦点距離等の情報）をカメラ本体１内のカメラ制御部（図８参照）に送出したり、交換レンズ２内のフォーカスレンズの位置やズームレンズの位置の情報をカメラ制御部に送出したりするためのものである。
【００２９】
カプラは、カメラ本体１内に設けられたフォーカスレンズ駆動用モータの駆動力を交換レンズ２内の各レンズに伝達するためのものである。
【００３０】
図１（ａ）において、グリップ部４の内部には電池収納室とカード収納室とが設けられている。電池収納室にはカメラの電源として、例えば、４本の単３形乾電池が収納されており、カード収納室には撮影画像の画像データを記録するためのメモリカードが着脱可能に収納されるようになっている。
【００３１】
モード設定ダイアル６は、静止画を撮影する静止画撮影モードと、動画を撮影する動画撮影モードとを含む複数の撮影モードを設定するためのものである。
【００３２】
レリーズボタン７は、途中まで押し込んだ「半押し状態Ｓ１」の操作と、さらに押し込んだ「全押し状態Ｓ２」の操作とが可能に構成されている。静止画撮影モードにおいて、レリーズボタン７が半押しされると、被写体の静止画を撮影するための準備動作（露出制御値の設定や焦点調節等の準備動作）が実行され、レリーズボタン７が全押しされると、撮影動作（後述するカラー撮像素子を露光し、その露光によって得られた画像信号に所定の画像処理を施してメモリカードに記録する一連の動作）が実行される。また、動画撮影モードにおいて、レリーズボタン７が全押しされると、撮影動作（カラー撮像素子を露光し、その露光によって得られた画像信号に所定の画像処理を施してメモリカードに記録する一連の動作）が開始され、再度レリーズボタン７が全押しされると、撮影動作が終了される。
【００３３】
図１（ｂ）において、カメラ本体１の背面略中央上部には、ファインダ窓１７が設けられている。ファインダ窓１７には、交換レンズ２からの被写体像が導かれる。撮影者は、ファインダ窓１７を覗くことによって、被写体を視認することができる。
【００３４】
カメラ本体１の背面の略中央には、外部表示部（液晶表示部）１９が設けられている。外部表示部１９は、本実施形態では例えば画素数が４００（Ｘ方向）×３００（Ｚ方向）＝１２００００のカラー液晶表示素子からなり、記録モードにおいて露出制御に関するモード、撮影シーンに関するモードや撮影条件等を設定するためのメニュー画面を表示したり、再生モードにおいてメモリカードに記録された撮影画像を再生表示したりするものである。
【００３５】
外部表示部１９の左上部には電源スイッチ２０が設けられている。電源スイッチ２０は２点スライドスイッチからなり、接点を左方の「ＯＦＦ」位置に設定すると、電源がオフになり、接点を右方の「ＯＮ」位置に設定すると、電源がオンになる。
【００３６】
外部表示部１９の右側には方向選択キー２１が設けられている。方向選択キー２１は円形の操作ボタンを有し、この操作ボタンにおける上下左右の４方向の押圧操作と、右上、左上、右下及び左下の４方向の押圧操作とが、それぞれ検出されるようになっている。
【００３７】
方向選択キー２１は多機能化されており、例えば外部表示部１９に表示される撮影シーン設定のためのメニュー画面において選択された項目を変更するための操作スイッチとして機能し、複数のサムネイル画像が配列表示されるインデックス画面において選択された再生対象のコマを変更するための操作スイッチとして機能する。また、方向選択キー２１は、交換レンズ２のズームレンズの焦点距離を変更するためのズームスイッチとして機能させることもできる。
【００３８】
外部表示部１９の下方位置には、外部表示部１９の表示や表示内容に関する操作を行うためのスイッチとして、取消スイッチ２２、確定スイッチ２３、メニュー表示スイッチ２４及び外部表示切換スイッチ２５が設けられている。
【００３９】
取消スイッチ２２はメニュー画面で選択された内容を取り消すためのスイッチである。確定スイッチ２３はメニュー画面で選択された内容を確定するためのスイッチである。メニュー表示スイッチ２４は外部表示部１９にメニュー画面を表示させたり、メニュー画面の内容（例えば撮影シーン設定画面や露出制御に関するモード設定画面など）を切り換えるためのスイッチで、メニュー表示スイッチ２４の押圧ごとにメニュー画面が切り換わる。外部表示切換スイッチ２５は、外部表示部１９への表示をオンにしたり、その表示をオフにしたりするスイッチで、外部表示切換スイッチ２５の押圧ごとに外部表示部１９の表示と非表示とが交互に行われる。なお、電池の節電を図るため、カメラ起動時には外部表示部１９の表示は行われないように制御することもできる。
【００４０】
図２は、本実施形態に係るデジタルカメラ１０ａについて説明するための図であり、図２（ａ）は、本実施形態に係るデジタルカメラ１０ａの正面透視図であり、図２（ｂ）は、本実施形態に係るデジタルカメラ１０ａの側面断面図である。
【００４１】
図２に示すように、本実施形態に係るデジタルカメラ１０ａは、カメラ本体１とこのカメラ本体１の正面略中央に着脱可能に装着される交換レンズ２とを備えた一眼レフレックスカメラで構成されている。図２（ｂ）に示すように、カメラ本体１に交換レンズ２が装着されたときの当該レンズ２の光軸Ｌ上であってカメラ本体１内の適所には、カラー撮像素子１０３が配設されている。カラー撮像素子１０３は、基板１０３ａ上に配置されている。
【００４２】
光軸Ｌ上において、被写体からの光（被写体光）をファインダ光学系１０５に向けて反射させる位置には、ハーフミラー１０４が配置されている。ハーフミラー１０４によって反射された被写体光は、焦点板１０６に結像される。ファインダ光学系１０５は、ペンタプリズム１０７、接眼レンズ１０８及びファインダ窓１７を備えている。焦点板１０６によって結像された被写体像は、ペンタプリズム１０７によって反射され、接眼レンズ１０８に入射する。接眼レンズ１０８は、被写体像をファインダ窓１７の外側に導く。このような構成により、撮影者はファインダ窓１７を覗くことによって、被写体を視認することができる。
【００４３】
また、ハーフミラー１０４の後方には、サブミラー１１０が配置されており、ハーフミラー１０４を透過した被写体光がサブミラー１１０によって反射され、反射された被写体光が焦点検出部１１１に入射する。焦点検出部１１１は、被写体のピント情報を検出する。この焦点検出部１１１には、サブミラー１１０で反射される被写体光を受光して画像を得る撮像素子が設けられており、当該撮像素子で取得される画像は合焦制御に用いられる。具体的には、後述するカメラ制御部５００（図８参照）の制御により当該撮像素子で取得される画像に基づいた合焦制御が実行される。また、サブミラー１１０と焦点検出部１１１との角度関係は、デジタルカメラの個体ごとに差が生じるため、製造段階で、焦点検出部１１１で得られる画像をモニタしながら、サブミラー１１０の角度を調整することで、サブミラー１１０における被写体光の反射状態（ここでは、反射角度）を調整して、焦点検出部１１１による焦点検出の精度を向上させる必要性がある。このサブミラー１１０の角度調整については後述する。
【００４４】
ハーフミラー１０４及びサブミラー１１０は、いわゆるクイックリターンミラーであり、露光時に上方へ跳ね上がり、被写体像をカラー撮像素子１０３上に導き、露光が終了すると、元の位置に復帰する。なお、サブミラー１１０が露光時に被写体からの光をカラー撮像素子１０３に導く光路から退避された状態を「サブミラー退避状態」と称し、一方、焦点検出部１１１に対して被写体からの光を導くために、サブミラー１１０が光路に挿入された状態を「サブミラー挿入状態」とも称する。
【００４５】
カラー撮像素子１０３の直前には、シャッタ１１２が配置されており、露光時に開閉するよう制御される。カメラ本体１の背面の略中央には、外部表示部１９が設けられている。外部表示部１９は、メモリカード等の記録媒体に記録された撮影画像を再生表示する。
【００４６】
＜サブミラーの角度調整＞
図３は、本発明の実施形態に係るカメラ本体１の斜視図である。図３では、デジタルカメラ１０ａから交換レンズ２が取り外されたカメラ本体１を示している。また、図３（ａ）では、カメラ本体１の側面に対して蓋部（図中ハッチング部）ＦＢが付された状態を示し、図３（ｂ）では、カメラ本体１の側面から蓋部ＦＢが外された状態を示している。
【００４７】
図３（ａ）に示すように、カメラ本体１の完成品では、カメラ本体１に対して、２つのネジＮＤによって蓋部ＦＢが取り付けられた状態となっている。この蓋部ＦＢは、図１に示すように、カメラ本体１の＋Ｘ方向の側面に対して取り付けられる。そして、カメラ本体１の製造段階では、蓋部ＦＢがカメラ本体１から取り外された状態で、カメラ本体１の各部が組み上げられ、後述するサブミラー１１０の角度調整等を行った後に、蓋部ＦＢがカメラ本体１に対して取り付けられる。つまり、サブミラー１１０の角度調整を行う際には、カメラ本体１に対して蓋部ＦＢが取り付けられていない状態となっており、サブミラー１１０の角度調整が終了すると、蓋部ＦＢがカメラ本体１に取り付けられた状態となる。
【００４８】
図３（ｂ）に示すように、蓋部ＦＢが取り付けられていない状態では、カメラ本体１に設けられた各種端子等が剥き出しになった状態となる。例えば、カメラ本体１内に設けられたカメラ制御部（図８参照）５００と外部に設けられたパーソナルコンピュータ（以下「パソコン」とも称する）ＰＣとの間で情報を伝達する有線回線（ケーブル）が接続される端子（情報用接続端子）ＪＴや、外部からカメラ本体１に対して電力を供給する部材（ケーブル）がカメラ本体１に対して外部から接続される端子（電力用接続端子）ＤＴ等が剥き出しとなる。また、サブミラー１１０の角度調整を行うために、サブミラー１１０の角度調整を行う治具（調整用治具）を挿入する孔（治具挿入孔）ＪＨも剥き出しとなる。つまり、ここでは、図３（ｂ）に示すように、カメラ本体１の一側面側、すなわち略同一面に、治具挿入孔ＪＨと、情報用接続端子ＪＴと、電力用接続端子ＤＴとが設けられている。なお、以下では、治具挿入孔ＪＨと情報用接続端子ＪＴと電力用接続端子ＤＴとが設けられる面を、サブミラー１１０の角度調整に係る作業を行う面、すなわち「調整作業面」ＯＰとも称することとする。
【００４９】
ここで、調整用治具を用いたサブミラー１１０の角度調整について説明する。
【００５０】
図４は、サブミラー１１０の角度調整に係る構成について説明するための図である。図４は、サブミラー１１０の角度を調整するためのカメラ本体１における内部機構を斜め後方から示した図である。図４で示すミラーボックスＭＢは、カメラ本体１のハウジング（図示省略）に対して固設されている。ミラーボックスＭＢは、前後（Ｙ軸に沿った方向）にそれぞれ被写体からの光を通過させるための開口を有し、ＸＺ断面が略矩形である略筒状の形状を有する。
【００５１】
ミラーボックスＭＢの下面には、被写体までの距離を測定するための焦点検出部１１１が設けられ、被写体からの光を焦点検出部１１１に導くためのサブミラー１１０が、ミラーボックスＭＢ内に設けられている。サブミラー１１０の両側面にはサブミラー１１０を挟み込むように２つのアーム部ＡＲが固設され、ミラーボックスＭＢの左右に設けられた回転軸受ＲＲにおいて、当該各アーム部ＡＲが、ミラーボックスＭＢに対してＸ軸に平行な軸を中心として回動自在に挟持される。つまり、各アーム部ＡＲを介して、サブミラー１１０がミラーボックスＭＢに対して回動自在に保持される。なお、サブミラー１１０が回転軸受ＲＲを中心として回動することで、上方へ跳ね上がり、露光時には、被写体からの光が導かれる光路からサブミラー１１０が退避される。
【００５２】
また、ミラーボックスＭＢの＋Ｘ方向の側面には、サブミラー挿入状態におけるサブミラー１１０の角度を調整して設定するためのサブミラー角度設定レバー７Ｒが設けられている。
【００５３】
サブミラー角度設定レバー７Ｒは、略Ｌ字形の形状を有し、Ｌ字状に屈曲している部分（角部）近傍が、軸７ＲｂによってミラーボックスＭＢに対して回動自在に保持されている。そして、サブミラー角度設定レバー７Ｒの一端にはサブミラー１１０の角度を直接規定するサブミラーストッパ７Ｒａが凸設され、サブミラー挿入状態において、サブミラー１１０とサブミラーストッパ７Ｒａとが当接することで、サブミラー挿入状態におけるサブミラー１１０の角度が設定される。
【００５４】
また、サブミラー角度設定レバー７Ｒのうち、サブミラーストッパ７Ｒａが凸設された一端に対して反対側に当たる他端には、六角溝を有するネジ（調整軸とも称する）８Ｎが回動自在に嵌合して設けられている。ここでは、Ｌ字形に屈曲した六角レンチ（「調整用治具」にあたる）ＧＧによる調整軸８Ｎの回動により、ミラーボックスＭＢに対するサブミラー角度設定レバー７Ｒの角度が調整され、サブミラー挿入状態におけるサブミラー１１０の角度が調整される。
【００５５】
ここで、図５および図６を参照しつつ、サブミラー１１０の角度調整についてさらに説明する。図５では、調整軸８Ｎ付近の構造を示しており、図５（ａ）では、調整軸８Ｎ付近の側方断面図が示され、図５（ｂ）では、サブミラー角度設定レバー７Ｒを＋Ｘ方向から見た正面図が示されている。図５（ａ）と図５（ｂ）とでは、Ｚ軸方向の位置が対応するように図示されている。また、図６では、調整軸８Ｎの回動に応じたサブミラー１１０の角度変化について示されている。
【００５６】
図５（ａ）に示すように、調整軸８Ｎは、主に、頭部８Ｎｈと軸部８Ｎｉとを備えて構成され、更に、軸部８Ｎｉは、頭部８Ｎｈに隣接する偏芯軸部８ＮＩと頭部８Ｎｈから離れた非偏芯軸部８ＮＪとを備えて構成される。そして、図５に示すように、頭部８Ｎｈの＋Ｘ側の面の中央には、調整用治具ＧＧを挿入するための六角溝８Ｐｂが設けられており、調整軸８Ｎは、当該六角溝８Ｐｂの重心点から−Ｘ方向へと伸びる軸芯を有する。そして、偏芯軸部８ＮＩは、調整軸８Ｎの軸芯を平行にずらした線を中心とした略円柱形状を有する。また、非偏芯軸部８ＮＪは、調整軸８Ｎの軸芯を中心とした略円柱形状でありミラーボックスＭＢの穴に回転保持されている。
【００５７】
そして、調整軸８Ｎの偏芯軸部８ＮＩは、サブミラー角度設定レバー７Ｒに設けられた長穴７ＲＨに嵌合されている。この長穴７ＲＨは、Ｚ方向が偏芯軸部８ＮＩのサイズとほぼ一致するとともに、Ｙ方向が偏芯軸部８ＮＩのサイズよりも大きな（例えば１．５倍）サイズを有する。さらに、非偏芯軸部８ＮＪがミラーボックスＭＢの雌ネジ部に螺合することで、調整軸８ＮがミラーボックスＭＢに対して取り付けられている。
【００５８】
ここでは、偏芯軸部８ＮＩの存在により、製造段階で、サブミラー１１０の角度を調整する者（以下「角度調整者」とも称する）が、調整用治具ＧＧを調整軸８Ｎに対して挿入して、調整用治具ＧＧによって調整軸８Ｎを回動させることで、サブミラー角度設定レバー７Ｒを軸７Ｒｂを中心として、回動させることができる。
【００５９】
具体的には、図６（ａ）〜（ｃ）に示すように、調整軸８Ｎを回動させると、調整軸８Ｎの軸芯と偏芯軸部８ＮＩとの相対的な位置関係が変化する。このとき、長穴７ＲＨ中における偏芯軸部８ＮＩの占める位置が徐々変化することで、軸７Ｒｂを中心としてミラーボックスＭＢに対するサブミラー角度設定レバー７Ｒの相対的な角度が変化する。その結果、ミラーボックスＭＢに対するサブミラーストッパ７Ｒａの相対的な位置が変更されて、サブミラー挿入状態におけるミラーボックスＭＢに対するサブミラー１１０の相対的な角度関係が変更される。
【００６０】
以上のような構成により、調整用治具ＧＧを用いたサブミラー１１０の角度調整が実施可能となる。
【００６１】
図７は、サブミラー１１０の角度調整を実施している様子を示す図である。図７は、カメラ本体１のうち、サブミラー１１０の角度を調整するための内部機構を斜め前方から示した図である。
【００６２】
図７に示すように、調整用治具ＧＧをカメラ本体１の一側面（調整作業面ＯＰ）に設けられた治具挿入孔（図３（ｂ）参照）ＪＨに挿入して、治具挿入孔ＪＨの奥に位置する調整軸８Ｎを回動させることで、サブミラー１１０の角度設定を調整することができる。なお、ここでは、調整軸８Ｎが治具挿入孔ＪＨの奥側（−Ｘ方向）に位置しているが、これに限られず、例えば、調整軸８Ｎの頭部８Ｎｈが調整作業面ＯＰに対して飛び出すように設けられるような構成も考えられる。このような構成も考慮すると、治具挿入孔ＪＨについては、より一般的には、調整用治具ＧＧを受け付ける部分（治具受付部とも称する）であれば良い。また、図３（ｂ）でも示したが、図７に示すように、カメラ本体１の一側面側、すなわち略同一面に、治具挿入孔ＪＨと、情報用接続端子ＪＴと、電力用接続端子ＤＴとが設けられている。
【００６３】
図８は、サブミラー１１０の角度調整時の構成について説明する図であり、図９は、サブミラーの角度調整のフローについて示すフローチャートである。以下、図８および図９を参照しつつサブミラー１１０の角度調整時の構成および調整フローについて説明する。
【００６４】
まず、サブミラー１１０の角度調整用のレンズ（測感レンズ）ＡＬ、角度調整用のチャート（測感チャート）ＭＣ、光源ＰＳ及びハーフミラーＨＭを備えたユニット（調整用ユニット）ＡＵを準備しておく。例えば、調整用ユニットＡＵを、撮像装置１の製造ラインにおける所定の位置に固定配置しておく。ここで測感チャートＭＣは、測感レンズＡＬ側から見て、例えば、図１０に示すようなパターンが表面に描かれた平面板であるものとする。
【００６５】
また、その調整用ユニットＡＵの近傍には、サブミラー１１０の角度調整に用いるためのパソコンＰＣと、サブミラー１１０の角度調整時にカメラ本体１に対して電力を供給するための外部電源ＤＳとが設けられている。そして、パソコンＰＣには、パソコンＰＣとカメラ本体１内のカメラ制御部５００との間で情報の交信を行う専用のケーブル（情報交信用ケーブル）が設けられている。なお、カメラ制御部５００は、主にＣＰＵ等やＲＯＭやＲＡＭ等によって構成され、デジタルカメラ１０ａ全体の動作を統括制御する。
【００６６】
一方、外部電源ＤＳには、カメラ本体１に対して電力を供給するための専用のケーブル（電源ケーブル）が設けられている。なお、これら、調整用ユニットＡＵ、パソコンＰＣ、および外部電源ＤＳが設けられている近傍には、調整用治具ＧＧが準備されているものとする。また、パソコンＰＣは、一般的なパソコンと同様なものであり、内蔵されたハードディスク等の記憶部等に格納される所定のプログラムによって、後述するサブミラー１１０の角度調整用の各種機能が実現される。
【００６７】
そして、図９のサブミラー１１０の角度調整のフローが開始されると、ステップＳ１では、調整用ユニットＡＵに対して、カメラ本体１をセットし、ステップＳ２に進む。ここでは、カメラ本体１のマウント部（図示省略）を調整用ユニットＡＵの測感レンズＡＬに対して装着することで、カメラ本体１を調整用ユニットＡＵに対してセットすることができる。なお、測感レンズＡＬは、調整用ユニットＡＵに対してカメラ本体１をセットした状態で、カメラ本体１において、測感チャートＭＣに対して合焦した像（ファインダ窓１７で視認される像、カラー撮像素子１０３で得られる画像、焦点検出部１１１で得られる画像を含む）が得られるように調整されている。そして、光源ＰＳおよびハーフミラーＨＭの存在により、カメラ本体１において得られる測感チャートＭＣに係る像が適度な輝度のものとなる。なお、このとき、カメラ本体１のサブミラー１１０は、ミラー挿入状態に設定されているものとする。
【００６８】
ステップＳ２では、図３（ｂ）で示したように、カメラ本体１の一側面側に設けられた、情報用接続端子ＪＴと、電力用接続端子ＤＴと、治具挿入孔ＪＨとに対して、情報交信用ケーブルと、電源ケーブルと、調整用治具とをそれぞれ装着若しくは挿入し、ステップＳ３に進む。このような状態となると、外部電源ＤＳからカメラ制御部５００に対して電力が供給され、カメラ本体１内の各種機能がカメラ制御部５００によって実現可能な状態となる。また、パソコンＰＣは、情報用接続端子ＪＴ等を介してカメラ制御部５００との間で各種データを送受信可能な状態となる。
【００６９】
ステップＳ３では、サブミラー１１０で反射されて焦点検出部１１１に入射される光に基づいて、焦点検出部１１１で取得される測感チャートＭＣに係る画像データ（単に「画像」とも称する）が、カメラ制御部５００を介して、パソコンＰＣによって取得され、ステップＳ４に進む。ここでは、角度調整者がパソコンＰＣを種々操作することで、サブミラー１１０の角度調整用のプログラムをパソコンＰＣで実行させて、パソコンＰＣからカメラ制御部５００に対して各種信号を送信させることにより、ステップＳ３の動作を実施される。
【００７０】
ステップＳ４では、パソコンＰＣにおいて、ステップＳ３で取得された画像（実画像）に基づき、サブミラー１１０の角度調整の必要量、すなわち、調整用治具ＧＧの回動方向および回動角度を求めて、表示し、ステップＳ５に進む。ここでは、焦点検出部１１１における焦点検出の精度が最も高くなるようにサブミラー１１０の角度が設定された場合に、焦点検出部１１１において取得される測感チャートに係る画像に相当するモデル（基準モデル画像）を予め準備して、パソコンＰＣの記憶部に記憶されているものとする。また、基準モデル画像と焦点検出部１１１で取得される実画像との間における画像のずれ量と調整用治具ＧＧの回動方向および回動角度との関係を示すデータテーブルもパソコンＰＣの記憶部に記憶されているものとする。そして、このステップＳ４では、基準モデル画像と、実画像とのずれ量を検出し、上記データテーブルを参照することで、サブミラー１１０の角度調整の必要量を求め、パソコンＰＣのモニタ画面上に表示する。
【００７１】
ここで、パソコンＰＣのモニタ画面における表示について具体的に説明する。図１１に示すように、パソコンＰＣのモニター上にサブミラー１１０の調整に係る情報が示された画面（サブミラー調整画面）が表示される。このサブミラー調整画面には、画面略中央に、破線で示されたパターンに相当する基準モデル画像と、実線および黒塗りで示されたパターンに相当する実画像とが合成されて示される。更に、画面下部に、サブミラー１１０の角度調整の必要量、すなわち、調整用治具ＧＧの回動方向（ここでは、時計回り）および回動角度（ここでは、θ度）が表示される。
【００７２】
ステップＳ５では、サブミラー１１０の角度調整が完了したか否かを判定する。ここでは、ステップＳ４で求められたサブミラー１１０の角度調整の必要量が０度の場合には、サブミラー１１０の角度調整が完了したものとして、サブミラー１１０の角度調整のフローが終了する。このとき、例えば、サブミラー調整画面には、「調整作業完了」等といった文言が表示されたり、「調整作業完了」等といった音声が出力されるようにしても良い。そして、このような調整作業の完了を示す文言や音声等を角度調整者が知覚して、調整作業を終了させる。一方、ステップＳ４で求められたサブミラー１１０の角度調整の必要量が０度でない場合には、ステップＳ６に進む。
【００７３】
ステップＳ６では、角度調整者が、パソコンＰＣのモニタ画面上のサブミラー調整画面に表示された回動方向および回動角度を視認しつつ、当該回動方向および回動角度に応じて調整用治具ＧＧを用いて調整軸８Ｎを回動させることで、サブミラー１１０の角度の調整を行う。そして、パソコンＰＣの機能により、ステップＳ５からステップＳ６に進んでから、所定期間（例えば、１０秒）経過後にステップＳ３に進み、焦点検出部１１１から画像が取得される。
【００７４】
このようにして、角度調整者が、サブミラー１１０の角度調整の必要量が０度になるまで、サブミラー調整画面の表示を参照しつつ、手動で調整軸８Ｎを回動させていくことで、サブミラー１１０の角度調整を完了させることができる。
【００７５】
また、このとき、パソコンＰＣから、情報交信用ケーブルおよび情報用接続端子ＪＴを介して、カメラ制御部５００内の不揮発性の記憶媒体（ＨＰＲＯＭ等）に対し、デジタルカメラ１０ａの制御に係る各種情報（データ）の入力および書き込みが行われる。ここで言う各種データには、例えば、露光時等における（ハーフミラー１０４とサブミラー１１０とからなる）クイックリターンミラーの駆動スピード等の情報等が含まれる。つまり、情報用接続端子ＪＴは、カメラ制御部５００から焦点検出部１１１で取得される画像をパソコンＰＣに取り出す目的と、パソコンＰＣからカメラ制御部５００内に各種データを書き込む目的との双方の目的を果たす。
【００７６】
そして、上述したような作業により、サブミラー１１０の角度調整が完了すると、角度調整者は、カメラ本体１の治具挿入孔ＪＨから調整用治具ＧＧを抜き取り、電力用接続端子ＤＴから電源ケーブルを取り外し、情報用接続端子ＪＴから情報交信用ケーブルを取り外す。そして、図３に示すように、カメラ本体１に対して、蓋部ＦＢを２つのネジＮＤによって取り付けることで、図３（ａ）に示すようなカメラ本体１の完成品が製作される。
【００７７】
以上のように、本発明の実施形態に係るデジタルカメラ１０ａでは、調整用治具ＧＧを挿入する治具挿入孔ＪＨと、情報用接続端子ＪＴと、電力用接続端子ＤＴとが撮像装置１の一側面側、すなわち略同一面に設けられて構成されている。そのため、調整用治具ＧＧ、情報交信用ケーブル、および電源ケーブルを略同一方向から挿入若しくは接続することが可能となる。つまり、一つの面（調整作業面ＯＰ）に作業をすべき部材が集中するため、カメラの向きを変えながら種々の挿入若しくは接続作業等を行う従来の方式に比べて、シンプルな作業が可能となる。すなわち、被写体からの光を反射する部材（ここでは、サブミラー１１０）の調整時における作業が簡略化される。そして、その結果として、合焦制御の調整に係る作業効率等が格段に向上する。
【００７８】
ここでは、特に、反射部（ここでは、サブミラー１１０）で反射される被写体光が合焦制御用の画像を取得する焦点検出部１１１の撮像素子に導かれる。したがって、反射部による被写体光の反射状態を調整することにより合焦制御の調整を行うことができるため、上述のごとく、治具挿入孔ＪＨと、情報用接続端子ＪＴと、電力用接続端子ＤＴとが撮像装置１の略同一面に設けられていることで、合焦制御の調整作業が簡略化される。
【００７９】
また、サブミラー１１０の角度調整が完了すると、治具挿入孔ＪＨを覆う蓋部ＦＢが設けられるため、外部より治具挿入孔ＪＨ、すなわち調整軸８Ｎに対して機械的な作業を加えさせないようにすることでできる。したがって、調整済みとなっているサブミラー１１０による光の反射状態をユーザーが勝手に動かすことで、調整された状態が狂うといった不具合を防止することができる。
【００８０】
また、情報用接続端子ＪＴが、外部装置であるパソコンＰＣからカメラ制御部５００に対して、デジタルカメラ１０ａの制御を補正するための情報（ここでは、ミラー駆動速度等に係る情報）を入力する。このような構成により、サブミラー１１０の角度調整に加えて、デジタルカメラ１０ａの制御の補正も含めた作業を簡略化することができる。
【００８１】
＜変形例＞
以上、この発明の実施形態について説明したが、この発明は上記説明した内容のものに限定されるものではない。
【００８２】
◎例えば、上述した実施形態では、調整用治具ＧＧを挿入する治具挿入孔ＪＨと、情報用接続端子ＪＴと、電力用接続端子ＤＴとがカメラ本体１の一側面側（すなわち、略同一面）に設けられたが、これに限られず、例えば、治具挿入孔ＪＨ、情報用接続端子ＪＴ、および電力用接続端子ＤＴのうち、治具挿入孔ＪＨと情報用接続端子ＪＴとが、カメラ本体１の略同一面に設けられても良い。このような構成としても、カメラの向きを変えることなく、略一方向からの挿入および接続作業が可能となるため、被写体からの光を反射する部材（ここでは、サブミラー１１０）の調整時における作業が簡略化される。
【００８３】
また、例えば、治具挿入孔ＪＨ、情報用接続端子ＪＴ、および電力用接続端子ＤＴのうち、治具挿入孔ＪＨと電力用接続端子ＤＴとが、カメラ本体１の一側面側（すなわち、略同一面）に設けられても良い。このような構成としても、カメラの向きを変えることなく、略一方向からの挿入および接続作業が可能となるため、被写体からの光を反射する部材（ここでは、サブミラー１１０）の調整時における作業が簡略化される。
【００８４】
但し、被写体光を反射する部材（ここでは、サブミラー１１０）の調整時における作業をより簡略化するといった観点から言えば、上述した実施形態のように、調整用治具ＧＧを挿入する治具挿入孔ＪＨと、情報用接続端子ＪＴと、電力用接続端子ＤＴとが撮像装置１の略同一面に設けられる方が好ましい。
【００８５】
◎また、上述した実施形態では、情報用接続端子ＪＴおよび電力用接続端子ＤＴに対して、情報交信用ケーブルおよび電源ケーブルをそれぞれ別個に接続するように説明したが、これに限られず、情報交信用ケーブルおよび電源ケーブルの端部に形成される２つの接続用端子をプラスチックス等の連結部材で一体化したユニット（「端子ユニット」とも称する）として、角度調整者が、１つの作業動作で情報用接続端子ＪＴおよび電力用接続端子ＤＴに対して当該端子ユニットを接続することができるようにしても良い。このような構成とすることで、角度調整者の作業内容をより簡略化することができる。
【００８６】
◎また、上述した実施形態では、パソコンＰＣで求められたサブミラー１１０の角度調整の必要量に応じて、角度調整者が手動で調整用治具ＧＧを回動させることで、サブミラー１１０の角度を調整したが、これに限られず、例えば、パソコンＰＣで求められたサブミラー１１０の角度調整の必要量、すなわち、調整用治具ＧＧの回動方向および回動角度に基づいてモーターを駆動させることで、調整用治具を回動させ、サブミラー１１０の角度調整を自動的に行うような構成としても良い。このような構成とすることで、例えば、焦点検出部１１１に設けられた合焦制御用の撮像素子に光を導くサブミラー１１０の角度を容易に調整することができる。
【００８７】
ここで、自動的にサブミラー１１０の角度調整を行う一例を挙げて説明する。
【００８８】
図１２は、自動的にサブミラー１１０の角度調整を行う変形例に係る構成等を示す図である。なお、自動的にサブミラー１１０の角度調整を行う点以外は、上述した実施形態と同様となるため、同様な部分については、同じ符合を付して説明を省略する。
【００８９】
図１２に示すように、ここでは、パソコンＰＣと、エンコーダ等を有するステッピングモータ等で構成されるモータＭＴとが電気的に接続され、モータＭＴには、調整軸８Ｎに対して嵌合する一文字形の六角レンチＨＸがモータ軸に連結されている。つまり、モータＭＴは、治具挿入孔ＪＨに挿入された調整用治具たる六角レンチＨＸを回動させることができる。
【００９０】
そして、調整用ユニットＡＵに対して、カメラ本体１が取り付けられ、外部電源ＤＳと電力用接続端子ＤＴとを電源ケーブルで接続し、パソコンＰＣと情報用接続端子ＪＴとを情報交信用ケーブルで接続する。更に、モータＭＴに連結された六角レンチＭＸを治具挿入孔ＪＨを介して調整軸８Ｎに嵌合させる。このような状態で、パソコンＰＣが、焦点検出部１１１の撮像素子で取得された画像（実画像）を情報用接続端子ＪＴを介して取得し、当該実画像と基準画像とのずれに基づいて、サブミラー１１０の角度調整の必要量を求める。そして、パソコンＰＣが、当該角度調整の必要量に応じた信号をモータＭＴに対して送信することで、モータＭＴのモータ軸が角度調整の必要量だけ回動されるように制御する。つまり、実画像と基準画像とのずれに応じてモータＭＴのモータ軸を回動させるのである。
【００９１】
このような動作により、サブミラー１１０の角度調整の必要量が０度になるまで、自動的にサブミラー１１０の角度調整が行われる。なお、ここでは、パソコンＰＣとモータＭＴと六角レンチＭＸとが、カメラ本体１に備えられた反射部材たるサブミラー１１０における被写体光の反射状態を調整する装置（調整装置）として機能する。
【００９２】
また、このような構成とした場合に、情報交信用ケーブルおよび電源ケーブルの端部に形成される２つの接続用端子と、六角レンチＨＸを回動自在に保持する部材とをプラスチックス等の連結部材で一体化したユニット（「端子ユニット」とも称する）を、角度調整者が、１つの作業動作で、情報用接続端子ＪＴ、電力用接続端子ＤＴ、および治具挿入孔ＪＨに対して、接続若しくは挿入することができるようにしても良い。このような構成とすることで、角度調整者の作業内容をより簡略化することができる。
【００９３】
◎上述した実施形態では、サブミラー１１０の角度調整を行ったが、これに限られず、調整の対象は、例えば、ハーフミラー１０４等、その他、被写体からの光を反射する反射部材であっても良い。以下、具体的な例を挙げて説明する。
【００９４】
図１３は、ハーフミラー１０４の角度調整を行う変形例に係る構成等を示す図である。なお、ここでは、上述したサブミラー１１０の角度調整を行う構成と同様な構成により、ハーフミラー１０４の角度調整を行うものとする。つまり、治具挿入孔ＪＨに調整用治具ＧＧを挿入して、調整軸を回動させることで、ハーフミラー１０４の角度調整を行うことができるような構成であるものとする。また、上述した実施形態と同様となる部分が多いため、同様な部分については、同じ符合を付して説明を省略する。
【００９５】
調整用ユニットＡＵに対して、カメラ本体１が取り付けられ、外部電源ＤＳと電力用接続端子ＤＴとを電源ケーブルで接続し、パソコンＰＣと情報用接続端子ＪＴとを情報交信用ケーブルで接続する。更に、ファインダ窓１７を覗き込むようにデジタルカメラＤＣを配置する。このデジタルカメラＤＣは、ファインダ窓１７内に見える画像を撮影して、当該画像をパソコンＰＣに対して送信するように構成される。
【００９６】
このような状態で、パソコンＰＣが、デジタルカメラＤＣで取得された画像を取得し、当該画像と基準画像とのずれに基づいて、ハーフミラー１０４の角度調整の必要量を求める。そして、パソコンＰＣが、当該角度調整の必要量、すなわち回動方向と回動角度とをモニタ画面上に表示する。角度調整者は、パソコンＰＣにおける表示に応じて、調整用治具ＧＧを適宜回動させることで、ハーフミラー１０４の角度調整を行うことができる。
【００９７】
このような動作により、ハーフミラー１０４の角度調整の必要量が０度になるまで、パソコンＰＣの画面表示を参照しつつ、手動で調整軸を回動させていくことで、ハーフミラー１０４の角度調整を完了させることができる。このような構成により、被写体光を反射する部材の調整時における作業が簡略化される。
【００９８】
なお、このような構成とする場合においても、パソコンＰＣの制御下で、角度調整の必要量に応じて、モータ等によって六角レンチを自動的に回動させて、被写体光を反射する部材の調整を行うようにしても良い。このような構成を採用することで、調整作業をより簡略化することができ、作業効率をより向上させることができる。そして、更に、情報交信用ケーブルおよび電源ケーブルの端部に形成される２つの接続用端子と、六角レンチを回動自在に保持する部材とをプラスチックス等の連結部材で一体化したユニット（端子ユニット）を、角度調整者が、１つの作業動作で、情報用接続端子ＪＴおよび電力用接続端子ＤＴに対して接続するとともに、治具挿入孔ＪＨに対して六角レンチを挿入することができるようにしても良い。このような構成とすることで、角度調整者の作業内容をより簡略化することができる。
【００９９】
◎また、上述した実施形態では、一眼レフタイプのデジタルカメラを例にとって説明したが、本発明は、例えば、一眼レフタイプの銀塩フィルム等を用いる撮像装置などといった被写体からの光を反射するミラー部材が設けられた種々の撮像装置に対して適用することができる。
【０１００】
◎なお、上述した実施形態では、調整用治具ＧＧを挿入する治具挿入孔ＪＨと、情報用接続端子ＪＴと、電力用接続端子ＤＴとが撮像装置１の略同一面に設けられるものとして説明を行ったが、調整用治具ＧＧを挿入する治具を挿入する方向、すなわち治具挿入孔ＪＨの深さ方向と、情報用接続端子ＪＴに対して情報交信用ケーブルが接続される方向と、電力用接続端子ＤＴに対して電源ケーブルが接続される方向とが、略同一方向であるようなものであれば、上述した実施形態と同様な効果を得ることができる。
【０１０１】
したがって、本明細書で言う「カメラ本体１の略同一面に設けられる」状態には、カメラ本体１の各面のうちの一つの面（上記実施形態では、調整作業面ＯＰ）に設けられる状態が含まれることは勿論のこと、相互に若干法線方向が異なる２以上の面にそれぞれ設けられる状態も含まれる。具体的には、調整用治具ＧＧを挿入する治具を挿入する方向、すなわち治具挿入孔ＪＨの深さ方向と、情報用接続端子ＪＴに対して情報交信用ケーブルが接続される方向と、電力用接続端子ＤＴに対して電源ケーブルが接続される方向とが、３０度以内に入るのであれば、角度調整者が、カメラ本体１の方向を変更することなく、カメラ本体１の略同一方向からこれらの接続および挿入作業を行うことができると考えられる。
【０１０２】
すなわち、「カメラ本体１の略同一面に設けられる」状態には、カメラ本体１の各面のうち法線方向が４５以下に納まる複数の面にそれぞれ設けられる状態が含まれる。但し、角度調整者の作業の簡略化といった観点から言えば、略同一面に含まれる複数の面については、各法線方向どうしが相互になす角度がなるべく小さな方が好ましく、例えば、２０度以下に納まることがより好ましく、略０度となることが更に好ましい。
【図面の簡単な説明】
【０１０３】
【図１】本発明の実施形態に係るデジタルカメラについて説明するための図である。
【図２】本発明の実施形態に係るデジタルカメラについて説明するための図である。
【図３】本発明の実施形態に係るデジタルカメラの斜視図である。
【図４】サブミラーの角度調整について説明するための図である。
【図５】サブミラーの角度調整について説明するための図である。
【図６】サブミラーの角度調整について説明するための図である。
【図７】サブミラーの角度調整について説明するための図である。
【図８】サブミラーの角度調整に係る構成を示す図である。
【図９】サブミラーの角度調整のフローについて示すフローチャートである。
【図１０】測感チャートを例示する図である。
【図１１】サブミラー調整画面を例示する図である。
【図１２】変形例に係るサブミラーの角度調整に係る構成を示す図である。
【図１３】変形例に係るハーフミラーの角度調整に係る構成を示す図である。
【符号の説明】
【０１０４】
１  カメラ本体
１０ａ  デジタルカメラ
１０４  ハーフミラー（反射部）
１１０  サブミラー（反射部）
１１１  焦点検出部（撮像部）
５００  カメラ制御部（制御部）
ＤＴ  電力用接続端子（電力用接続部）
ＦＢ  蓋部
ＧＧ  調整用治具（調整治具）
ＪＨ  治具挿入孔（治具受付部）
ＪＴ  情報用接続端子（情報用接続部）
ＰＣ  パソコン（外部装置）
【図１】
2006086601.tif 000003
【図２】
2006086601.tif 000004
【図３】
2006086601.tif 000005
【図４】
2006086601.tif 000006
【図５】
2006086601.tif 000007
【図６】
2006086601.tif 000008
【図７】
2006086601.tif 000009
【図８】
2006086601.tif 000010
【図９】
2006086601.tif 000011
【図１０】
2006086601.tif 000012
【図１１】
2006086601.tif 000013
【図１２】
2006086601.tif 000014
【図１３】
2006086601.tif 000015